(57)【要約】【課題】使用しやすい新規なポータブルトイレの提供【解決手段】  ポータブルトイレ１０は、バケツ４０と、便座３０と、便器本体１００と、脚５００、６００とを備えている。便器本体１００は、バケツ４０が収められる窪んだ収容部１０１と、収容部１０１の上部周辺に設けられ、便座３０が配置される上面部１０２と、収容部１０１の少なくとも外側面１１１を囲う外郭部１０３と、外郭部１０３の下端から連続し、当該便器本体１００の底を形成する底部１０４とを有している。便器本体１００の少なくとも前面において、上面部１０２の周縁を形成する面と、外郭部１０３を形成する面と、底部１０４を形成する面とが連続している。脚５００、６００は、便器本体１００の底部１０４の左右にそれぞれ独立して取り付けられている。【選択図】図１
2015012927.tif 000002
【特許請求の範囲】
【請求項１】
バケツと、便座と、便器本体と、脚と
を備え、
前記便器本体は、
前記バケツが収められる窪んだ収容部と、
前記収容部の上部周辺に設けられ、前記便座が配置される上面部と、
前記収容部の少なくとも外側面を囲う外郭部と、
前記外郭部の下端から連続し、当該便器本体の底を形成する底部と
を有しており、
前記便器本体の少なくとも前面において、前記上面部の周縁を形成する面と、外郭部を形成する面と、底部を形成する面とが連続し、
前記脚は、前記便器本体の前記底部の左右にそれぞれ独立して取り付けられている、
ポータブルトイレ。
【請求項２】
前記便器本体の少なくとも前面において、前記外郭部が前記上面部の周縁から前記底部へ向かうにつれて後方に傾斜している、請求項１に記載されたポータブルトイレ。
【請求項３】
前記便器本体は、
前記収容部と前記上面部とを含む上側部材と、
前記外郭部の少なくとも一部と、前記底部とを含む下側部材と
を備え、
前記上側部材と前記下側部材が組み合わされた、請求項１または２に記載されたポータブルトイレ。
【請求項４】
前記上側部材の下縁と前記下側部材の上縁とは、互いに内外に嵌り合う、請求項３に記載されたポータブルトイレ。
【請求項５】
前記上側部材と前記下側部材とは、一方にピンが設けられ、他方に前記ピンが嵌るピン穴が設けられており、前記上側部材と前記下側部材が組み合わされる際に、当該ピンをピン穴に装着する、請求項３または４に記載されたポータブルトイレ。
【請求項６】
前記ピンと前記ピン穴は、それぞれ前記便器本体の内側に設けられている、請求項５に記載されたポータブルトイレ。
【請求項７】
前記上側部材は、一体的な成形品である、請求項３から６までの何れか一項に記載されたポータブルトイレ。
【請求項８】
前記下側部材は、一体的な成形品である、請求項３から７までの何れか一項に記載されたポータブルトイレ。
【請求項９】
前記便器本体の前記上面部には、前記収容部の上部開口を囲うようにトレイが配置されており、当該トレイの上に前記便座が配置されている、請求項１から８までの何れか一項に記載されたポータブルトイレ。
【請求項１０】
前記脚は、
前記便器本体の前記底部の左右のそれぞれにおいて前後に配置された２本の脚部と、
前記２本の脚部のうち前側の脚部の下端から前方に延びたフロントベース部と、
前記２本の脚部のうち後側の脚部の下端から後方に延びたリヤベース部と
を有する、請求項１から９までの何れか一項に記載されたポータブルトイレ。
【請求項１１】
前記２本の脚部の下端を繋ぐように前後方向に延び、前記フロントベース部と前記リヤベース部とに連続した連結部を備えている、請求項１０に記載されたポータブルトイレ。
【請求項１２】
前記便器本体の底部は、前記脚部が取り付けられる部位に、前記脚部の上端部が装着されるボスが設けられている、請求項１から１１までの何れか一項に記載されたポータブルトイレ。
【請求項１３】
前記ボスの周囲にリブが設けられている、請求項１２に記載されたポータブルトイレ。
【請求項１４】
前記便器本体の側面に水抜き穴が形成されている、請求項１から１３に記載されたポータブルトイレ。
【請求項１５】
前記便器本体の底部は、前記収容部の底に対向する部位に開口を有する、
請求項１から１４までの何れか一項に記載されたポータブルトイレ。
【請求項１６】
前記収容部の底には、当該底の周縁に沿って下方に突出した底面リブを有し、
前記便器本体の底部の開口の縁には、前記収容部の底面リブの内側において立ち上がった突起が設けられている、請求項１５に記載されたポータブルトイレ。
【発明の詳細な説明】
【技術分野】
【０００１】
本発明はポータブルトイレに関する。ここで、ポータブルトイレは、例えば、ベッド脇に置かれて介護用に用いることができるトイレである。ポータブルトイレは、介護用トイレや簡易トイレなどとも称されうる。
【背景技術】
【０００２】
例えば、特許第４２３６９９１号公報には、便器本体が略矩形の箱のような外郭形状を有する樹脂製のポータブルトイレが開示されている。便器本体は、汚物を受けるバケツを収容し、上部に便座が取り付けられている。このポータブルトイレは、便器本体の背面に取り付けられる背もたれや、両側に取り付けられる肘掛が取り外し可能である。また、便器本体の外郭は、床近くまで下方に延びている。便器本体の下部には、便器本体の四隅に延びたベース部材を備えており、外郭の下端は床よりも少し高い位置にある。
【０００３】
意匠登録第１２３７８７５号公報は、他の形態に係るポータブルトイレに関する意匠が開示されている。ここで開示されるポータブルトイレは、便器本体と、脚と、背もたれと、肘掛とを備えている。ここで、便器本体は、外郭が特に前面において、床近くまで延びていない。脚は、便器本体の下部において、前後左右の四隅にそれぞれ１本ずつ設けられている。
【０００４】
このポータブルトイレの前面下部には、ポータブルトイレに座っている使用者が体の近くに足（ここでは、「足」は、足首からつま先を意味する。）を引き寄せる空間がある。ポータブルトイレの前面下部にこのような空間があると、使用者は、ポータブルトイレに座った状態で、自らの重心の近くに足を引き寄せることができる。このため、使用者は、ポータブルトイレから立ち上がりやすくなる。また、ポータブルトイレの前および左右には、便器本体の下部に足を踏み入れる空間がある。このような空間があると、使用者を介助する介助者は、介助の際に便器本体の下部に足を踏み入れることができ、使用者を介助するのが容易になる。特開２０１０−２４０１６５号公報と、意匠登録第１３７３８１３号公報にも、意匠登録第１２３７８７５号公報で開示されたポータブルトイレに似た構成を有するポータブルトイレが開示されている。
【０００５】
特開２０１２−１５２２５４号公報または意匠登録第１４２４３７４号公報に開示されたポータブルトイレは、台座と、便器外郭（便器本体）とを有している。このポータブルトイレは、平面視での中央部に、台座に対して便器本体の高さを調整する機構が設けられている。ここでは、台座には、上方に向けて突出した支持筒が設けられている。便器本体には下方に向けて突出した接続筒が設けられている。支持筒と接続筒とは、上下に嵌め合わされ、便座の高さを調整することが可能な構造を備えている。
【先行技術文献】
【特許文献】
【０００６】
【特許文献１】特許第４２３６９９１号公報
【特許文献２】意匠登録第１２３７８７５号公報
【特許文献３】特開２０１０−２４０１６５号公報
【特許文献４】意匠登録第１３７３８１３号公報
【特許文献５】特開２０１２−１５２２５４号公報
【特許文献６】意匠登録第１４２４３７４号公報
【発明の概要】
【発明が解決しようとする課題】
【０００７】
特許第４２３６９９１号公報に開示されたポータブルトイレの外郭は、略矩形の箱のような形状を有している。ポータブルトイレの下部には、ベースが取り付けられている。かかる形態では、ポータブルトイレの外郭の下端が全体として床近くまで延びているため、ポータブルトイレの前面において、ポータブルトイレに座った使用者が体の近くに足を引き寄せるのに十分な空間がない。また、ポータブルトイレの前および左右において、便器本体の下（ポータブルトイレの下）に介助者が足を踏み入れるのに十分な空間がない。当該ポータブルトイレの外郭の下端に、使用者や介助者のつま先などが引っ掛かる場合がある。
【０００８】
意匠登録第１２３７８７５号公報、特開２０１０−２４０１６５号公報および意匠登録第１３７３８１３号公報に開示されたポータブルトイレは、便器本体の外郭の下部は、より高い位置にある。また、便器本体の脚は四隅にある。このため、バケツが収容されている部分が外観上見える。この点、使用上の問題はない。しかし、バケツが収容されている部分を外観上隠したいとのニーズには応えられていない。また、便器本体を構成する部材の縁（ここでは、ポータブルトイレの前面における便器本体の外郭の下部）は、下方に張り出している。かかる便器本体を構成する部材の縁は、床から少し高い位置にあり、下方に張り出しているため、ベッドとの間で使用者が移動する際に、使用者や介助者の足が引っ掛かることがあり得る。このため、使用者や介助者は、使用時に下方に張り出した便器本体を構成する部材の縁に足を引っ掛けないように注意する必要があった。
【０００９】
特開２０１２−１５２２５４号公報および意匠登録第１４２４３７４号公報に開示されたポータブルトイレは、前面において、使用者が脚を引き寄せる空間は十分ではない。また、便器本体の下部には、台座と称される部材が全体的に張り出ている。このため、使用者や介助者にとっては、ベッドとポータブルトイレとの間で使用者が移動する際やその介助において、台座の張り出した部分が邪魔になる場合がある。
【課題を解決するための手段】
【００１０】
ここで提案されるポータブルトイレは、バケツと、便座と、便器本体と、脚とを備えている。便器本体は、バケツが収められる窪んだ収容部と、収容部の上部周辺に設けられ、便座が配置される上面部と、収容部の少なくとも外側面を囲う外郭部と、外郭部の下端から連続し、当該便器本体の底を形成する底部とを有している。便器本体の少なくとも前面において、上面部の周縁を形成する面と、外郭部を形成する面と、底部を形成する面とが連続している。脚は、便器本体の底部の左右にそれぞれ独立して取り付けられている。
【００１１】
このポータブルトイレは、バケツを収容している収容部の外側面が外郭部に囲われており、バケツを収容している収容部が外観上見えにくい。また、ポータブルトイレの前面において、上面部の周縁を形成する面と、外郭部を形成する面とが連続し、さらに、外郭部を形成する面と、底部を形成する面とが連続している。このため、ポータブルトイレの前面において、便器本体を構成する部材の縁が下方に張り出しておらず、使用者および介助者の足が、ポータブルトイレの下端に引っ掛かりにくい。この場合、便器本体の少なくとも前面において、外郭部が上面部の周縁から底部へ向かうにつれて後方に傾斜していてもよい。
【００１２】
また、便器本体は、収容部と上面部とを含む上側部材と、外郭部の少なくとも一部と、底部とを含む下側部材とを備えていてもよい。ここで、上側部材と下側部材が組み合わされていてもよい。また、上側部材の下縁と下側部材の上縁とは、互いに内外に嵌り合っていてもよい。また、上側部材と下側部材とは、一方にピンが設けられ、他方にピンが嵌るピン穴が設けられていてもよい。上側部材と下側部材が組み合わされる際に、当該ピンをピン穴に装着してもよい。ピンとピン穴は、それぞれ便器本体の内側に設けられていてもよい。上側部材は、一体的な成形品であってもよい。また下側部材は、一体的な成形品であってもよい。また、便器本体の上面部には、収容部の上部開口を囲うようにトレイが配置されていてもよい。この場合、当該トレイの上に便座が配置されているとよい。
【００１３】
また、脚は、便器本体の底部の左右のそれぞれにおいて前後に配置された２本の脚部と、２本の脚部のうち前側の脚部の下端から前方に延びたフロントベース部と、２本の脚部のうち後側の脚部の下端から後方に延びたリヤベース部とを有していてもよい。
【００１４】
この場合、２本の脚部の下端を繋ぐように前後方向に延び、前記フロントベース部と前記リヤベース部とに連続した連結部を備えていてもよい。また、便器本体の底部は、脚部が取り付けられる部位に、脚部の上端部が装着されるボスが設けられていてもよい。また、ボスの周囲にリブが設けられていてもよい。また、便器本体の側面に水抜き穴が形成されていてもよい。便器本体の底部は、収容部の底に対向する部位に開口を有していてもよい。また、収容部の底には、当該底の周縁に沿って下方に突出した底面リブを有し、便器本体の底部の開口の縁には、収容部の底面リブの内側において立ち上がった突起が設けられていてもよい。
【図面の簡単な説明】
【００１５】
【図１】図１はポータブルトイレ１０の斜視図である。
【図２】図２はポータブルトイレ１０の斜視図である。
【図３】図３はポータブルトイレ１０の斜視図である。
【図４】図４はポータブルトイレ１０の斜視図である。
【図５】図５は、便器本体１００の平面図である。
【図６】図６は、便器本体１００の左側を示す側面図である。
【図７】図７は、図６のＶＩＩ−ＶＩＩ断面矢視図であり、便器本体１００の縦断面図である。
【図８】図８は、バケツ４０とトレイ５０が配置された便器本体１００の縦断面図である。
【図９】図９は、上側部材２１０の底面図である。
【図１０】図１０は、上側部材２１０の周縁部の断面を拡大した拡大断面図である。
【図１１】図１１は、下側部材２２０の平面図である。
【図１２】図１２は、下側部材２２０の周縁部の断面を拡大した拡大断面図である。
【図１３】図１３は、左側の肘掛３００を示す斜視図である。
【図１４】図１４は、肘掛ベース３０１の中空軸３１４を横断した横断平面図である。
【図１５】図１５は、ポータブルトイレ１０の平面図である。
【発明を実施するための形態】
【００１６】
以下、ここで提案されるポータブルトイレを図面に基づいて説明する。以下の説明において、前、後、左、右は、それぞれ便座に腰掛けた使用者から見た方向を基準にしている。図面には、前（Ｆ）、後（Ｂｋ）、左（Ｌ）、右（Ｒ）に対応させて、それぞれ符号Ｆ、Ｂｋ、Ｌ、Ｒが適宜に付されている。また、各図において同じ作用を奏する部材や部位には、同じ符号を付し、適宜に重複する説明を省略している。
【００１７】
《ポータブルトイレ１０》
図１から図４はそれぞれポータブルトイレ１０の斜視図である。ここで、図１は、蓋２０が開いた状態（蓋２０が上げられた状態）を示している。図２は、図１の状態から便座３０を上げ、バケツ４０の蓋４２（バケツ蓋）と、左側の肘掛３００とを取り外した状態を示している。図３は、図２の状態からバケツ４０を取り外した状態を示すポータブルトイレ１０の斜視図である。さらに、図４は、図３の状態からトレイ５０（受け板）を取り出した状態を示すポータブルトイレ１０の斜視図である。
【００１８】
ポータブルトイレ１０は、図１から図４に示すように蓋２０と、便座３０と、バケツ４０と、トレイ５０と、便器本体１００と、背もたれ２５０と、肘掛３００、４００と、脚５００、６００と、脱臭装置７５０（図５参照）とを備えている。以下、ポータブルトイレ１０の概要を説明し、その後、ここで提案されるポータブルトイレ１０について、特に、便器本体１００の前面および便器本体１００の前面に設けられる空間について説明する。
【００１９】
《蓋２０》
蓋２０は、ポータブルトイレ１０の便座３０に被せられる部材である。この実施形態では、蓋２０は、図１に示すように、矩形の部材であり、後ろ側の縁にヒンジ２１が取り付けられている。蓋２０は、ヒンジ２１を軸にして回動する。蓋２０は、前後方向の中間部に蝶番２２が取り付けられている。蓋２０は、蝶番２２によって前後方向の中間部で折り曲げることができる。折り曲げられた蓋２０は、背もたれ２５０に設けられた開口２５１を通すことができる。背もたれ２５０に設けられた開口２５１に蓋２０を通すことによって、蓋２０の姿勢は、背もたれ２５０の前で便座３０の上に配置された姿勢（図１５参照）と、背もたれ２５０の後ろに引き上げた姿勢（図１に示す状態）とで適宜に変えられる。
【００２０】
《便座３０》
便座３０は、図１に示すように、便器本体１００の上面の中央部に配置されている。この実施形態では、便座３０は、後部の縁に設けられたヒンジ３１を介して便器本体１００に取り付けられている。そして、便座３０の姿勢は、図１に示すように、便器本体１００の上面に配置された姿勢と、図２に示すように、便器本体１００の上面から引き上げられた姿勢とで適宜に変えられる。この実施形態では、便座３０は、使用者がお尻を受ける座面を有する。便座３０の中央には開口３２が形成されている。
【００２１】
《バケツ４０》
バケツ４０は、使用者の排便を受けるバケツであり、「汚物受け」と称されうる。この実施形態では、バケツ４０は、上部が開口した底が深い有底の容器である。図３および図４に示すように、便器本体１００は、当該バケツ４０を収容する窪んだ収容部１０１を有している。収容部１０１は、「汚水受け」とも称されうる。バケツ４０と収容部１０１は、異形形状であり、バケツ４０は予め定められた向きで収容部１０１に収められる。図２に示すように、バケツ４０の上縁には取っ手４１が取り付けられている。バケツ４０が収容部１０１に収容された状態では、取っ手４１はバケツ４０の後方へ廻される。また、図１に示すように、バケツ４０の開口には蓋４２（バケツ蓋）が装着される。
【００２２】
《トレイ５０》
この実施形態では、図３に示すように、便器本体１００の収容部１０１を囲むように便器本体１００の上部にトレイ５０が置かれている。トレイ５０は、便器本体１００の上面に置かれている。トレイ５０の上には便座３０が配置される。トレイ５０の中央部には、収容部１０１の上部開口に合わせた形状の開口５１が形成されている。トレイ５０の開口５１の縁およびトレイ５０の外縁には、上方に向けて連続して立ち上がった壁５２、５３がそれぞれ設けられている。トレイ５０の上に落ちた汚水は、かかる壁５２、５３によってトレイ５０の上面に受けられる。また、トレイ５０には、便座３０のヒンジ３１を取り付ける基部５４が設けられている。
【００２３】
《便器本体１００》
次に、便器本体１００を説明する。便器本体１００は、図４に示すように、収容部１０１と、上面部１０２と、外郭部１０３と、底部１０４とを有している。ここで、図５は、便器本体１００の平面図である。図６は、便器本体１００の左側を示す側面図である。図７は、図６のＶＩＩ−ＶＩＩ断面矢視図であり、便器本体１００の縦断面図である。図８は、図７に示された便器本体１００の縦断面図に、バケツ４０とトレイ５０を書き加えたものである。
【００２４】
《収容部１０１》
図７および図８に示すように、収容部１０１は、バケツ４０が収められる窪んだ部位である。この実施形態では、バケツ４０の上縁４３は、周方向に連続して外側に屈曲している。バケツ４０は、トレイ５０の開口５１から便器本体１００の収容部１０１に収められ、かつ、トレイ５０の開口５１の周縁に連続して立ち上がった壁５２の上端に、バケツ４０の上縁４３を引っ掛けて載置されている。この実施形態では、便器本体１００の後部には、脱臭装置７５０を取り付ける脱臭装置取付部２１５（図５参照）が設けられている。収容部１０１の後部には、脱臭装置７５０へ臭気を導く脱臭ダクト７００が取り付けられる。また、この実施形態では、収容部１０１の後部には、脱臭ダクト７００からの排水を受ける受け部２１６および受け部２１６で受けた排水を収容部１０１へ導く溝状の排出路２１６ａが設けられている。
【００２５】
《上面部１０２》
上面部１０２は、図３、図４、図７および図８に示すように、収容部１０１の上部周辺に設けられている。上面部１０２の上には、図１に示すように、便座３０が配置される。なお、この実施形態では、図１および図８に示すように、上面部１０２の上には、トレイ５０が配置され、その上に便座３０が配置されている。上面部１０２には、図５に示すように、肘掛取付部２１１、２１２と、背もたれ取付部２１３、２１４とが設けられている。
【００２６】
《外郭部１０３、底部１０４》
外郭部１０３は、図７に示すように、収容部１０１の少なくとも外側面１１１を囲う部位である。底部１０４は、外郭部１０３の下端から連続し、便器本体１００の底を形成する部位である。ポータブルトイレ１０は、便器本体１００の少なくとも前面において、上面部１０２の周縁を形成する面１１２（この実施形態では、上面部１０２の周縁の周側面）と、外郭部１０３を形成する面１１３（この実施形態では、外郭部１０３の側面）とが連続している。さらに、外郭部１０３を形成する面１１３と、底部１０４を形成する面１１４とが連続している。そして、ポータブルトイレ１０の脚５００、６００は、図１に示すように、便器本体１００の底部１０４の左右にそれぞれ独立して取り付けられている。
【００２７】
なお、ここで、面が連続しているとは、外観上、面が一連に連なっていることをいう。例えば、ここでは、便器本体１００の少なくとも前面において、ポータブルトイレ１０の外郭部１０３を構成する上面部１０２の周縁を形成する面１１２と、外郭部１０３を形成する面１１３とは、一連に連なっている。また、この実施形態では、便器本体１００は、後述するように上側部材２１０と下側部材２２０とで構成されている。ここで、上側部材２１０と下側部材２２０とは、外側面が一連に連なるように組み合わされている。かかる箇所では、「面が連続している」とする。また、意匠上の多少の凹凸や段差などは、問題としない。
【００２８】
このポータブルトイレ１０では、図１、図６、図７および図８に示すように、バケツ４０を収容している収容部１０１の外側面１１１が外郭部１０３に囲われている。このため、バケツ４０を収容している収容部１０１が外観上見えにくい。また、ポータブルトイレ１０の前面において、上面部１０２の周縁を形成する面１１２と、外郭部１０３を形成する面１１３とが連続している。また、外郭部１０３を形成する面１１３（この実施形態では、外郭部１０３の側面）と、底部１０４を形成する面１１４とが連続している。つまり、ポータブルトイレ１０の前面において、便器本体１００を構成する部材の縁が下方に張り出していない。このため、ポータブルトイレ１０の前面では、使用者および介助者の足が、ポータブルトイレ１０の下端に引っ掛かりにくい。
【００２９】
さらにポータブルトイレ１０の前面において、便器本体１００の外郭部１０３は、上面部１０２の周縁から底部１０４へ向かうにつれて後方に傾斜している。このため、図１に示すように、ポータブルトイレ１０に座った使用者が体の近くに足を引き寄せる空間Ｓ１が、ポータブルトイレ１０の前面下部、使用者の足元に形成されている。ポータブルトイレ１０の前面下部にこのような空間Ｓ１があると、使用者は、ポータブルトイレ１０に座った状態で、自らの重心の近くに足を引き寄せることができ、ポータブルトイレ１０から立ち上がりやすくなる。また、介助者にとっても、ポータブルトイレ１０の前面に足を踏み入れる空間Ｓ１があるので、ベッドとポータブルトイレ１０との間で使用者が乗り移るのを介助するのが容易になる。また、この実施形態では、便器本体１００の外郭部１０３は、ポータブルトイレ１０の前面と左右の両側面とが連続した面で形成されており、上面部１０２の周縁から底部１０４へ向かうにつれて少し内側に傾斜している。かかる外郭形状によって、使用者がベッドに乗り移る際に、便器本体１００が邪魔になりにくい。
【００３０】
《上側部材２１０と下側部材２２０》
この実施形態では、ポータブルトイレ１０は、樹脂製（樹脂成形品）である。便器本体１００は、上側部材２１０と下側部材２２０とで構成されており、上側部材２１０と下側部材２２０とを上下に組み合わせた構造を備えている。かかる構造によって、樹脂成形による便器本体１００の作製を容易にし、かつ、便器本体１００に所要の剛性を確保している。
【００３１】
ここで、上側部材２１０には、便器本体１００のうち収容部１０１と上面部１０２とが含まれている。下側部材２２０には、外郭部１０３の少なくとも一部と底部１０４とが含まれている。なお、上側部材２１０は、収容部１０１と上面部１０２とが含まれているとよく、外郭部１０３の一部（上部）が含まれていてもよい。また、下側部材２２０には、外郭部１０３の少なくとも一部（下部）と底部１０４とが含まれているとよく、外郭部１０３の一部（上部）が含まれていなくてもよい。また、上面部１０２と外郭部１０３、および、外郭部１０３と底部１０４などは、境界が明確に定められるものではない。
【００３２】
《上側部材２１０》
図９は、上側部材２１０の底面図である。図１０は、上側部材２１０の周縁部の断面を拡大した拡大断面図である。この実施形態では、上側部材２１０は、一体的な成形品である。上側部材２１０には、図５、図８および図９に示すように、バケツ４０が収容される収容部１０１と、上面部１０２とが含まれている。また、上面部１０２には、肘掛取付部２１１、２１２と、背もたれ取付部２１３、２１４と、脱臭装置取付部２１５とが設けられている。肘掛取付部２１１、２１２と、背もたれ取付部２１３、２１４と、脱臭装置取付部２１５とについては、後で述べる。
【００３３】
図９に示すように、上側部材２１０の周縁は全周にわたって下方に屈曲している。上側部材２１０の下縁２１０ａには、図１０に示すように、脱臭装置取付部２１５を除き、凡そ全周にわたって内側に段差２１０ａ１を有し、外側面に沿って下方に延びた係合片２１０ａ２が設けられている。
【００３４】
上側部材２１０の周縁には、図９に示すように、上側部材２１０と下側部材２２０とを組み付けるための複数のピン２１０ｂが設けられている。ピン２１０ｂは、便器本体１００の内側に設けられており、上側部材２１０の底面において下方に突出している。この実施形態では、ピン２１０ｂは、略矩形の上側部材２１０の四隅に設けられている。また、上側部材２１０の周縁には、上側部材２１０と下側部材２２０とを組み付けるための複数のねじ穴２１０ｃが形成されている。また、上側部材２１０の裏面（内面）には、リブが適当に配置されている。また、収容部１０１の底１０１ａには、底の周縁に沿って下方に突出した底面リブ１０１ａ１がある。また、上側部材２１０の後部の脱臭装置取付部２１５の周縁部には、脱臭装置７５０を取り付けるための取付穴２１０ｄが形成されている。
【００３５】
《下側部材２２０》
図１１は、下側部材２２０の平面図である。図１２は、下側部材２２０の周縁部の断面を拡大した拡大断面図である。この実施形態では、下側部材２２０は、一体的な成形品である。下側部材２２０には、底部１０４と、外郭部１０３とが含まれている。下側部材２２０は、全体として有底の略矩形の箱形状であり、底部１０４には、上側部材２１０の収容部１０１の底１０１ａに対向する部位に開口１０４ａが形成されている。開口１０４ａの縁には、周方向に連続した突起１０４ａ１が設けられている。当該突起１０４ａ１は、上側部材２１０と下側部材２２０とを上下に組み合わせた際に、上側部材２１０の収容部１０１の底１０１ａに形成された底面リブ１０１ａ１の内側において立ち上がった状態になる。また、便器本体１００の底部１０４には、脚５００、６００の脚部５０１、５０２、６０１、６０２の上端が装着されるボス１２１〜１２４が設けられている。この実施形態では、ボス１２１〜１２４は、下側部材２２０の底部１０４の前後左右の隅部に設けられている。
【００３６】
図１１に示すように、底部１０４は全周にわたって上方に屈曲し、外郭部１０３に連続している。下側部材２２０の上縁２２０ａには、図１２に示すように、脱臭装置取付部２１５の一部を除き、凡そ全周にわたって外側に段差２２０ａ１を有し、内側面に沿って上方に延びた係合片２２０ａ２が設けられている。
【００３７】
また、下側部材２２０の周縁には、図１１に示すように、上側部材２１０に設けられた複数のピン２１０ｂに対応する位置にピン穴２２０ｂが設けられている。ピン穴２２０ｂは、便器本体１００の内側に設けられており、上側部材２１０に設けられたピン２１０ｂがそれぞれ嵌りうる内径を有している。この実施形態では、ピン穴２２０ｂは、略矩形の下側部材２２０の四隅に設けられている。また、下側部材２２０の周縁には、上側部材２１０に形成されたねじ穴２１０ｃに対応する位置にねじ穴２２０ｃが形成されている。また、下側部材２２０の底面には、リブが適当に配置されている。特に、脚５００、６００が取り付けられるボス１２１〜１２４の周囲にはリブ１２１ａ〜１２４ａが放射状に設けられおり、所要の強度が確保されている。
【００３８】
《上側部材２１０と下側部材２２０の組み付け》
図７に示すように、上側部材２１０の下縁２１０ａと下側部材２２０の上縁２２０ａとは、互いに内外に嵌り合っている。この実施形態では、図１０に示すように、上側部材２１０の下縁２１０ａには、凡そ全周にわたって内側に段差２１０ａ１を有し、外側面に沿って下方に延びた係合片２１０ａ２が設けられている。下側部材２２０の上縁２２０ａには、凡そ全周にわたって外側に段差２２０ａ１を有し、内側面に沿って上方に延びた係合片２２０ａ２が設けられている。この実施形態では、図７に示すように、外側面に沿って下方に延びた上側部材２１０の係合片２１０ａ２（図１０参照）と、内側面に沿って上方に延びた下側部材２２０の係合片２２０ａ２（図１２参照）とが内外に嵌り合っている。
【００３９】
この実施形態では、上側部材２１０と下側部材２２０のうち、一方（この実施形態では、上側部材２１０）にピン２１０ｂが設けられ、他方（この実施形態では、下側部材２２０）にピン２１０ｂが嵌るピン穴２２０ｂが設けられている。そして、上側部材２１０と下側部材２２０とが組み合わされる際に、ピン２１０ｂがピン穴２２０ｂに装着されている。また、上側部材２１０と下側部材２２０に設けられたねじ穴２１０ｃ、２２０ｃは、上側部材２１０と下側部材２２０とが組み合わされる際に穴が合い、ビスで止めることができる。これにより、便器本体１００は一体化される。なお、この実施形態では、上側部材２１０にピン２１０ｂが設けられ、かつ、下側部材２２０にピン穴２２０ｂが設けられている。便器本体１００は、これに限らず、下側部材２２０にピンが設けられ、かつ、上側部材２１０にピン穴が設けられていてもよい。
【００４０】
また、この実施形態では、ピン２１０ｂとピン穴２２０ｂは、それぞれ便器本体１００の内側に設けられており、便器本体１００の外観上現われていない。このため、かかるピン２１０ｂとピン穴２２０ｂは、ポータブルトイレ１０の外観において美感を損なわない。
【００４１】
《水抜き穴》
また、便器本体１００の側面には、水抜き穴が形成されている。この実施形態では、図１１に示すように、下側部材２２０の後部において、上縁２２０ａに水抜き穴となる切欠き２２０ｄが形成されている。当該切欠き２２０ｄは、上側部材２１０と下側部材２２０とが組み合わされた状態で水抜き穴になる。例えば、ポータブルトイレ１０を水洗いした際に、便器本体１００内に水が入る。この際、下側部材２２０の内部に設けられたリブ１２１ａ〜１２４ａに水が残留する。このような場合に、ポータブルトイレ１０の後部を下に向けて放置すると、リブ１２１ａ〜１２４ａを伝って、ポータブルトイレ１０の後部の水抜き穴から便器本体１００の外に水が排出される。このような水抜き穴は、便器本体１００の側面に形成されているとよい。なお、この実施形態では、水抜き穴は、便器本体１００の後側の側面に形成されているが、水抜き穴は、便器本体１００の左右の側面に設けられていてもよいし、便器本体１００の前面に設けられていてもよい。
【００４２】
次に、便器本体１００に設けられた肘掛取付部２１１、２１２と、背もたれ取付部２１３、２１４と、脱臭装置取付部２１５を順に説明する。ここでは、肘掛取付部２１１、２１２に取り付けられる肘掛３００、４００を説明し、その後、肘掛取付部２１１、２１２を説明する。
【００４３】
《肘掛３００、４００》
ここで、図１３は、左側の肘掛３００を示す斜視図である。肘掛３００、４００は、凡そ同様の構造を有している。図１３中のカッコ内の符号は、右側の肘掛４００の符号を示している。ここでは、左側の肘掛３００には３００番台の符号を付し、右側の肘掛４００の各部位には、左側の肘掛３００の各部位に対応させて４００番台の符号を付している。
【００４４】
肘掛３００（４００）は、図１３に示すように、肘掛ベース３０１（４０１）と、肘掛本体３０２（４０２）と、高さ調節機構３０３（４０３）とを備えている。
【００４５】
《肘掛ベース３０１（４０１）》
肘掛ベース３０１（４０１）は、基部３１１（４１１）と、２本の中空の支柱３１２、３１３（４１２、４１３）と、中空軸３１４（４１４）とを備えている。基部３１１（４１１）は、便器本体１００の上側部材２１０に前後方向に沿って配置される長手のプレートである。２本の支柱３１２、３１３（４１２、４１３）は、基部３１１（４１１）の前後両端部に配置されている。基部３１１（４１１）は、２本の支柱３１２、３１３（４１２、４１３）の中間部の下端よりの位置に架け渡されている。
【００４６】
基部３１１（４１１）には、係合突起３２１（４２１）と、差込穴３２２（４２２）とがある。係合突起３２１（４２１）は、基部３１１（４１１）の下面から、基部３１１（４１１）の長手方向に沿って下方に突出した突起である。差込穴３２２（４２２）は、基部３１１（４１１）の中間部前よりに形成されており、肘掛３００、４００を上側部材２１０に固定する固定ピン３５０（４５０）（図１参照）を挿し込む貫通した穴である。また、後側の支柱３１３（４１３）の外周面には、上下に連続して後方に突出した係合片３２３（４２３）が設けられている。肘掛ベース３０１（４０１）の中空軸３１４（４１４）は、基部３１１（４１１）よりも高い位置において、前後一対の支柱３１２、３１３（４１２、４１３）に架設されている。図１に示す例では、右側の肘掛ベース４０１の前側の支柱４１２に、トイレットペーパーホルダ６０が取り付けられている。
【００４７】
《肘掛本体３０２（４０２）》
肘掛本体３０２（４０２）は、肘掛部３４１（４４１）と、可動軸３４２、３４３（４４２、４４３）とを備えている。肘掛部３４１（４４１）は、ポータブルトイレ１０の使用者が肘を掛ける部位である。この実施形態では、肘掛部３４１（４４１）は、長手の形状を有しており、ポータブルトイレ１０の左右において前後方向に延びた状態で設けられる。可動軸３４２、３４３（４４２、４４３）は、肘掛部３４１（４４１）の下部の前後に離れた位置において下方に延びている。肘掛本体３０２（４０２）の前後の２本の中空の可動軸３４２、３４３（４４２、４４３）が、肘掛ベース３０１（４０１）の２本の中空の支柱３１２、３１３（４１２、４１３）に挿入されている。
【００４８】
《高さ調節機構３０３（４０３）》
高さ調節機構３０３（４０３）は、肘掛部３４１（４４１）の高さを調整する機構である。高さ調節機構３０３（４０３）は、肘掛ベース３０１（４０１）の中空軸３１４（４１４）内に内装されている。図１４は、肘掛ベース３０１（４０１）の中空軸３１４を横断した横断平面図である。
【００４９】
図１４に示すように、この実施形態では、肘掛本体３０２（４０２）の可動軸３４２、３４３（４４２、４４３）には、穴３６１、３６２（４６１、４６２）が形成されている。当該穴３６１、３６２（４６１、４６２）は、図示は省略するが、可動軸３４２、３４３（４４２、４４３）の長さ方向に沿って複数形成されている。また、肘掛ベース３０１の支柱３１２、３１３（４１２、４１３）にも、中空軸３１４（４１４）に連通するように貫通した穴３６３、３６４（４６３、４６４）が形成されている。
【００５０】
高さ調節機構３０３（４０３）は、肘掛ベース３０１の中空軸３１４（４１４）の内部に突起３８１、３８２（４８１、４８２）を有している。突起３８１、３８２（４８１、４８２）は、可動軸３４２、３４３（４４２、４４３）に向かって突出するように、中空軸３１４（４１４）に装着されている。中空軸３１４（４１４）には、バネ３８３、３８４（４８３、４８４）が内装されている。バネ３８３、３８４（４８３、４８４）は、中空軸３１４（４１４）から支柱３１２、３１３（４１２、４１３）の内部に突起３８１、３８２（４８１、４８２）が突出するように突起３８１、３８２（４８１、４８２）を付勢するかかる突起３８１、３８２（４８１、４８２）は、中空軸３１４（４１４）に沿ってスライド可能に取り付けられた摘み３８５、３８６（４８５、４８６）と一体的な部材である。摘み３８５、３８６（４８５、４８６）を操作することによって、支柱３１２、３１３（４１２、４１３）の内部に突出した突起３８１、３８２（４８１、４８２）は、支柱３１２、３１３（４１２、４１３）から引き抜かれる。
【００５１】
当該突起３８１、３８２（４８１、４８２）は、支柱３１２、３１３（４１２、４１３）の内部に突出した状態では、肘掛本体３０２（４０２）の可動軸３４２、３４３（４４２、４４３）の穴３６１、３６２（４６１、４６２）に嵌る。この際、可動軸３４２、３４３（４４２、４４３）の長さ方向に沿って形成された複数の穴３６１、３６２（４６１、４６２）のうち、何れかの穴に当該突起３８１、３８２（４８１、４８２）を嵌めるとよい。突起３８１、３８２（４８１、４８２）を嵌める穴３６１、３６２（４６１、４６２）を変えることによって、肘掛部３４１（４４１）の高さが調整される。つまり、かかる高さ調節機構３０３（４０３）によって、肘掛ベース３０１（４０１）の２本の中空の支柱３１２、３１３（４１２、４１３）に対し、肘掛本体３０２（４０２）の可動軸３４２、３４３（４４２、４４３）が挿入された長さが変化する。これにより、便器本体１００に対する肘掛部３４１（４４１）の高さが調整される。
【００５２】
《肘掛取付部２１１、２１２》
上側部材２１０には、かかる肘掛３００、４００が取り付けられる肘掛取付部２１１、２１２が設けられている。肘掛取付部２１１、２１２は、上側部材２１０の上面部１０２の左右において、それぞれ肘掛３００、４００を取り付ける位置に設けられている。肘掛取付部２１１、２１２は、それぞれ左右の肘掛３００、４００の下部に対応した形状を有している。
【００５３】
肘掛取付部２１１、２１２は、図２、図５および図１３に示すように、それぞれ肘掛３００、４００の基部３１１（４１１）が嵌る前後に延びた長手の窪み２２１、２２２を有している。当該窪み２２１、２２２には、縦穴２２３、２２４、２２５、２２６と、係合溝２２７、２２８と、鍵穴２３１、２３２が形成されている。上側部材２１０の裏面には、特に肘掛取付部２１１、２１２の裏面にリブが多く配置されている。かかるリブによって肘掛３００、４００のぐらつきが小さく抑えられるとともに所要の耐荷重を確保することができる。
【００５４】
ここで、左側の窪み２２１には、左側の肘掛３００の基部３１１（図１３参照）が嵌る。また、左側の窪み２２１に形成された縦穴２２３、２２５には、基部３１１から下方に突出した支柱３１２、３１３（図１３参照）の下端部３１２ａ、３１３ａがそれぞれ嵌る。左側の窪み２２１に形成された係合溝２２７には、左側の肘掛３００の基部３１１の下面から下方に突出した係合突起３２１（図１３参照）が嵌る。さらに、左側の窪み２２１に形成された鍵穴２３１は、左側の肘掛３００の基部３１１に形成された差込穴３２２に対応する位置に形成されている。当該左側の肘掛３００は、支柱３１２、３１３（図１３参照）の下端部３１２ａ、３１３ａを、便器本体１００の肘掛取付部２１１の縦穴２２３、２２５に挿入し、基部３１１を窪み２２１に嵌める。そして、差込穴３２２および鍵穴２３１に固定ピン３５０（図１参照）を装着する。これによって、左側の肘掛３００を便器本体１００に固定することができる。
【００５５】
また、右側の窪み２２２には、右側の肘掛４００の基部４１１が嵌る。また、右側の窪み２２２に形成された縦穴２２４、２２６には、基部４１１から下方に突出した支柱４１２、４１３（図１３参照）の下端部４１２ａ、４１３ａがそれぞれ嵌る。右側の窪み２２２に形成された係合溝２２８には、右側の肘掛４００の基部４１１の下面から下方に突出した係合突起４２１（図１３参照）が嵌る。さらに、右側の窪み２２２に形成された鍵穴２３２は、右側の肘掛４００の基部４１１に形成された差込穴４２２に対応する位置に形成されている。そして、当該右側の窪み２２２に右側の肘掛４００の基部４１１を嵌めて、差込穴４２２および鍵穴２３２に固定ピン４５０（図１参照）を装着することによって、右側の肘掛４００を便器本体１００に固定することができる。
【００５６】
ここで、高さ調節機構３０３（４０３）の摘み３８５、３８６（４８５、４８６）は、図１に示すように、肘掛ベース３０１（４０１）の中空軸３１４（４１４）の左右両側に設けられている。このため、肘掛３００、４００の高さ調節機構３０３（４０３）は、ポータブルトイレ１０の内側および外側の両側から操作できる。
【００５７】
図１５は、ポータブルトイレ１０の蓋２０を閉じた状態での平面図である。この実施形態では、左右の肘掛３００、４００は、平面視において、肘掛ベース３０１の支柱３１２、３１３（４１２、４１３）の中心軸を結ぶ線Ｃ１に対して、肘掛部３４１（４４１）が内側に張り出している長さＬ１と、外側に張り出している長さＬ２が異なる。例えば、図１５に示すように、この実施形態では、肘掛部３４１（４４１）が内側に張り出している長さＬ１は、外側に張り出している長さＬ２よりも長い。また、便器本体１００の肘掛取付部２１１、２１２は、左右で同じ構造を有している。つまり、左の肘掛３００を右側の肘掛取付部２１２に取り付けることができ、右の肘掛４００を左側の肘掛取付部２１１に取り付けることができる。左右の肘掛３００、４００を入れ替えることで、ポータブルトイレ１０における肘掛部３４１（４４１）の間隔Ｌ３を変えることができる。これにより、使用者の体格に応じて、肘掛部３４１（４４１）の間隔Ｌ３を調整できる。
【００５８】
なお、この実施形態では、左側の肘掛ベース３０１に取り付けられた肘掛本体３０２を、右側の肘掛ベース４０１に取り付け、右側の肘掛ベース４０１に取り付けられた肘掛本体４０２を、左側の肘掛ベース３０１に取り付けることができる。左右の肘掛ベース３０１、４０１に対して、左右の肘掛本体３０２、４０２を入れ替えることによって、左右の肘掛部３４１、４４１の間隔Ｌ３を調整してもよい。
【００５９】
また、左右の肘掛３００、４００は、使用者や介助者のニーズに応じて適宜に取り外すことができる。また、ポータブルトイレ１０は、便器本体１００から肘掛３００、４００を取り外した際に、便器本体１００の肘掛取付部２１１、２１２に被せることができるカバーを付属しているとよい。かかるカバーは、肘掛取付部２１１、２１２に取り付けられた際に、便器本体１００の上面を平坦にする形状であるとよい。
【００６０】
また、肘掛ベース３０１（４０１）の後側の支柱３１３（４１３）の外周面に、上下に連続して後方に突出した係合片３２３（４２３）は、背もたれ２５０に形成された係合溝２５６、２５７（図１〜図４参照）にそれぞれ係合している。
【００６１】
《背もたれ２５０》
次に、ポータブルトイレ１０の背もたれ２５０を説明する。背もたれ取付部２１３、２１４は、図５に示すように、便器本体１００の上面において、後部の左右両側にそれぞれ設けられている。背もたれ２５０は、図１に示すように、便器本体１００の上面において、蓋２０を後方に通すことができる開口２５１を有している。この背もたれ２５０は、左右の柱部２５２、２５３と、背もたれ部２５４と、クッション２５５とを備えている。柱部２５２、２５３は、ポータブルトイレ１０の背部において、便器本体１００の左右両側に設けられた背もたれ取付部２１３、２１４に取り付けられる。柱部２５２、２５３は、便器本体１００の背もたれ取付部２１３、２１４から上方に立ち上がっている。背もたれ部２５４は、柱部２５２、２５３の上端に架け渡されている。クッション２５５は、背もたれ部２５４の前面に取り付けられている。
【００６２】
《脚５００、６００》
次に、脚５００、６００は、図１に示すように、それぞれ２本の脚部５０１、５０２（６０１、６０２）と、フロントベース部５０３（６０３）と、リヤベース部５０４（６０４）と、連結部５０５（６０５）とを備えている。なお、ここで、左側の脚５００の各部材および部位には５００番台の符号を付している。右側の脚６００の各部材および部位には、左側の脚５００に対応させて、６００番台の符号を付している。また、右側の脚６００の、脚部６０２と、リヤベース部６０４と、連結部６０５とは、図１において、便器本体１００に隠れており、図示されていない。右側の脚６００の脚部６０２と、リヤベース部６０４と、連結部６０５とは、それぞれ左側の脚５００の脚部５０２と、リヤベース部５０４と、連結部５０５と凡そ左右が対象な構造を有している。
【００６３】
２本の脚部５０１、５０２（６０１、６０２）は、便器本体１００の左右において、それぞれ前後に配置されている。この実施形態では、脚部５０１、５０２（６０１、６０２）の上端は、便器本体１００の底部１０４には設けられたボス１２１〜１２４（図１１参照）に装着されている。ここでは、詳しい説明を省略するが、脚部５０１、５０２（６０１、６０２）は、長さを調節する機構を備えている。脚部５０１、５０２（６０１、６０２）の長さを調節することによって、ポータブルトイレ１０の便座３０の高さを調整することができる。
【００６４】
フロントベース部５０３（６０３）は、前側の脚部５０１（６０１）の下端から前方に延びた部位である。リヤベース部５０４（６０４）は、後ろ側の脚部５０２（６０２）の下端から後方に延びた部位である。この実施形態では、リヤベース部５０４（６０４）の後端には、キャスター５０６（６０６）が取り付けられている。図１では、右側のリヤベース部６０４（図１５参照）および右側のリヤベース部６０４の後端に取り付けられたキャスター６０６（図１５参照）は、便器本体１００に隠れており、図示されていない。
【００６５】
この実施形態では、便器本体１００の下に２本の脚部５０１、５０２（６０１、６０２）があり、フロントベース部５０３（６０３）が、前側の脚部５０１（６０１）の下端から前方に延びている。また、リヤベース部５０４（６０４）は、後ろ側の脚部５０２（６０２）の下端から後方に延びている。つまり、このポータブルトイレ１０は、単純な４本足の椅子のような構造ではない。かかるフロントベース部５０３（６０３）によって、ポータブルトイレ１０は前方へ転倒するのが確実に防止されている。また、かかるリヤベース部５０４（６０４）によって、ポータブルトイレ１０は後方へ転倒するのが確実に防止されている。
【００６６】
また、このポータブルトイレ１０は、樹脂製である。このような樹脂製のポータブルトイレ１０は、一般的には、木製の簡易トイレなどと比べると、全体が軽量であるとともに剛性が低く、全体として撓みやすい。例えば、ポータブルトイレ１０の使用者が、肘掛３００、４００の肘掛部３４１、４４１の前側に体重を掛けて立ち上がろうとする場合に撓みやすい。このポータブルトイレ１０は、ポータブルトイレ１０の使用者が、肘掛３００、４００の肘掛部３４１、４４１の前側に体重を掛けて立ち上がろうとする場合に、前方へ傾くように力が掛かる。しかし、便器本体１００の前方へ延びた脚５００、６００のフロントベース部５０３、６０３によって、ポータブルトイレ１０が前方へ倒れるのが防止される。
【００６７】
また、この実施形態では、ポータブルトイレ１０の下部後方にはリヤベース部５０４（６０４）が延びている。例えば、介助者が背もたれに体重を掛けて、介助作業を行うような場合でも、かかるリヤベース部５０４（６０４）によって、ポータブルトイレ１０が後方へ倒れるのを防止できる。
【００６８】
またポータブルトイレ１０には、脚５００、６００の脚部５０１、５０２（６０１、６０２）の基端にも大きな力が作用する。この実施形態では、便器本体１００の底部１０４に、脚部５０１、５０２（６０１、６０２）の上端が装着されるボス１２１〜１２４（図１１参照）が設けられている。さらに、当該ボス１２１〜１２４の周囲にリブ１２１ａ〜１２４ａが放射状に設けられおり、所要の強度が確保されている。かかるリブ１２１ａ〜１２４ａによって、脚部５０１、５０２（６０１、６０２）の上端が装着されたボス１２１〜１２４に所要の剛性が確保されている。このため、脚部５０１、５０２（６０１、６０２）が装着されたボス１２１〜１２４の周辺部分の撓みが小さく抑えられ、ポータブルトイレ１０の撓みが小さく抑えられる。
【００６９】
また、脚５００、６００の脚部５０１、５０２（６０１、６０２）は、便器本体１００の底部１０４に設けられたボス１２１〜１２４（図１１参照）に装着されている。ここでは図示は省略するが、ボス１２１〜１２４は、脚５００、６００の脚部５０１、５０２（６０１、６０２）を保持する構造を備えている。また、脚５００、６００の脚部５０１、５０２（６０１、６０２）は、ボス１２１〜１２４に挿入された長さを調整できる幅がある程度大きく確保されている。これによって、便器本体１００の高さが調整の幅をより大きく確保できる。
【００７０】
また、連結部５０５（６０５）は、２本の脚部５０１、５０２（６０１、６０２）の下端を繋ぐように前後方向に延び、フロントベース部５０３、６０３とリヤベース部５０４（６０４）とに連続している。かかる連結部５０５（６０５）によって、フロントベース部５０３、６０３とリヤベース部５０４（６０４）とが一体的になる。このため、例えば、ポータブルトイレ１０の使用者が、肘掛３００、４００の前側に体重を掛けて立ち上がろうとする場合に、フロントベース部５０３、６０３の撓みやポータブルトイレ１０の前方への撓みや、リヤベース部５０４（６０４）の後端が浮くのを小さく抑えることができる。
【００７１】
以上のように、ここで提案されるポータブルトイレ１０は、図１から図４に示すように、バケツ４０と、便座３０と、便器本体１００と、脚５００、６００とを備えている。便器本体１００は、バケツ４０が収められる窪んだ収容部１０１と、収容部１０１の上部周辺に設けられ、便座３０が配置される上面部１０２と、収容部１０１の少なくとも外側面１１１を囲う外郭部１０３と、外郭部１０３の下端から連続し、便器本体１００の底を形成する底部１０４とを有している。
【００７２】
そして、図６に示すように、便器本体１００の少なくとも前面において、上面部１０２の周縁を形成する面１１２と、外郭部１０３を形成する面１１３と、底部１０４を形成する面１１４とが連続している。また、脚５００、６００は、便器本体１００の底部１０４の左右においてそれぞれ独立して取り付けられている。このポータブルトイレ１０は、上述したように便器本体１００の前面下部に、使用者および介助者の足が引っ掛かりにくい。
【００７３】
また、便器本体１００の少なくとも前面において、外郭部１０３は上面部１０２の周縁から底部１０４へ向かうにつれて後方に傾斜している。便器本体１００の前面においてポータブルトイレ１０に座った使用者が足を引き寄せる所要の空間Ｓ１が確保されている。
【００７４】
また、便器本体１００は、収容部１０１と上面部１０２とを含む上側部材２１０と、外郭部１０３の少なくとも一部と、底部１０４とを含む下側部材２２０とを備えている。ここでは、上側部材２１０と下側部材２２０とが組み合わされている。このように、かかる構成では、便器本体１００は、例えば、上下に半割り型であり、上側部材２１０と下側部材２２０の成形が容易になる。
【００７５】
また、この場合、図７に示すように、上側部材２１０の下縁２１０ａと下側部材２２０の上縁２２０ａとは、互いに内外に嵌り合っているとよい。かかる構成によって、上側部材２１０の下縁２１０ａと下側部材２２０の上縁２２０ａの剛性が確保され、便器本体１００全体として高い剛性が得られる。また、この実施形態では、上側部材２１０と下側部材２２０とは、それぞれ一体的な成形品で具現化されている。また、便器本体１００の上面部には、図３に示すように、収容部１０１の上部開口を囲うようにトレイ５０が配置されている。さらに当該トレイ５０の上に便座３０が配置されている。かかるトレイ５０によって、バケツ４０から汚水がこぼれた場合でも、汚水が床に流れ出にくい。
【００７６】
また、この実施形態では、便器本体１００の底部１０４は、図７および図１１に示すように、収容部１０１の底に対向する部位に開口１０４ａを有している。かかる開口により、便器本体１００の軽量化が図られている。また、便器本体１００の収容部１０１の外側面１１１は、全体として外郭部１０３で囲われている。このため、外観上、バケツ４０を収容する部分が見えず、汚物を入れるバケツの印象が薄い。このため、このポータブルトイレ１０は、清潔感が高いデザインになっている。
【００７７】
また、収容部１０１の底１０１ａには、当該底１０１ａの周縁に沿って下方に突出した底面リブ１０１ａ１（図９参照）を有している。かかる底面リブ１０１ａ１によって、収容部１０１の底１０１ａの剛性が確保されている。
【００７８】
さらに、便器本体１００の底部１０４の開口１０４ａの縁には、収容部１０１の底面リブ１０１ａ１の内側において立ち上がった突起１０４ａ１が設けられている。このため、便器本体１００を丸洗いした場合に、便器本体１００内に水が残留しても、例えば、上側部材２１０の内面を伝って流れ落ちる水は、収容部１０１の底面リブ１０１ａ１を伝い、下側部材２２０の底部１０４で受けられる。下側部材２２０の底部１０４に流れた水は、開口１０４ａの縁に設けられた突起１０４ａ１よって受けられる。したがって、このポータブルトイレ１０は、便器本体１００内に残留した水は、容易には便器本体１００の底に垂れない。
【００７９】
以上、ここで提案されるポータブルトイレの一実施形態を例示したが、本発明は、特に言及されない限りにおいて、上述した実施形態に限定されるものではない。
【符号の説明】
【００８０】
１０  ポータブルトイレ
２０  蓋
２１  ヒンジ
２２  蝶番
３０  便座
３１  ヒンジ
３２  便座の開口
４０  バケツ
４１  取っ手
４２  バケツ蓋
４３  上縁
５０  トレイ
５１  トレイの開口
５２、５３  トレイの壁
６０  トイレットペーパーホルダ
１００  便器本体
１０１  収容部
１０１ａ  底
１０１ａ１  底面リブ
１０２  上面部
１０３  外郭部
１０４  底部
１０４ａ  開口
１０４ａ１  突起
１１１  外側面
１１２  上面部の周縁を形成する面
１１３  外郭部を形成する面
１１４  底部を形成する面
１２１〜１２４  ボス
１２１ａ〜１２４ａ  リブ
２１０  上側部材
２１０ａ  上側部材の下縁
２１０ａ１  段差
２１０ａ２  係合片
２１０ｂ  ピン
２１０ｃ  ねじ穴
２１１、２１２  肘掛取付部
２１３、２１４  背もたれ取付部
２１５  脱臭装置取付部
２１６  受け部
２１６ａ  排出路
２２０  下側部材
２２０ａ  下側部材の上縁
２２０ａ１  段差
２２０ａ２  係合片
２２０ｂ  ピン穴
２２０ｃ  ねじ穴
２２０ｄ  切欠き（水抜き穴）
２２１、２２２  窪み
２２３〜２２６  縦穴
２２７、２２８  係合溝
２３１、２３２  鍵穴
２５０  背もたれ
２５１  開口
２５２、２５３  柱部
２５４  背もたれ部
２５５  クッション
２５６、２５７  係合溝
３００、４００  肘掛
３０１、４０１  肘掛ベース
３０２、４０２  肘掛本体
３０３、４０３  高さ調節機構
３１１、４１１  基部
３１２、４１２  支柱
３１２ａ、４１２ａ  下端部
３１３、４１３  支柱
３１４、４１４  中空軸
３２１、４２１  係合突起
３２２、４２２  差込穴
３２３、４２３  係合片
３４１、４４１  肘掛部
３４２、３４３（４４２、４４３）  可動軸
３５０、４５０  固定ピン
３８１、３８２（４８１、４８２）  突起
３８３、３８４（４８３、４８４）  バネ
３８５、３８６（４８５、４８６）  摘み
５００、６００  脚
５０１、５０２（６０１、６０２）  脚部
５０３、６０３  フロントベース部
５０４（６０４）  リヤベース部
５０５（６０５）  連結部
５０６、６０６  キャスター
７００  脱臭ダクト
７５０  脱臭装置
【図１】
2015012927.tif 000003
【図２】
2015012927.tif 000004
【図３】
2015012927.tif 000005
【図４】
2015012927.tif 000006
【図５】
2015012927.tif 000007
【図６】
2015012927.tif 000008
【図７】
2015012927.tif 000009
【図８】
2015012927.tif 000010
【図９】
2015012927.tif 000011
【図１０】
2015012927.tif 000012
【図１１】
2015012927.tif 000013
【図１２】
2015012927.tif 000014
【図１３】
2015012927.tif 000015
【図１４】
2015012927.tif 000016
【図１５】
2015012927.tif 000017